(57)【特許請求の範囲】
【請求項１】
手により三次元方向に折り曲げ可能なバー材と、前記バー材を取付可能なバー材取付部を備えたコンクリート埋設物とよりなり、前記バー材をバー材取付部に取り付け、コンクリート埋設物から突出したバー材の両端側をコンクリート構築物の支骨をなす鉄筋に固定することにより、当該鉄筋にコンクリート埋設物を支持させるとともに、バー材の突っ張り強度によりコンクリート構築物形成のために立設された型枠に対してコンクリート埋設物を押圧させるように構成したコンクリート埋設物装置であって、
前記バー材は、同バー材を軸方向に沿って凹凸状に折り曲げて形成された屈曲部を備え、前記バー材取付部は、前記コンクリート埋設物の外面に外方に開口して前記屈曲部が当該開口から挿入される挿入部を備えてなり、屈曲部を挿入部に挿入してバー材をバー材取付部に取り付け、当該挿入部に挿入された屈曲部の外面が挿入部内面と当接することによりバー材の周方向への回転を防止可能に形成するとともに、前記屈曲部の挿入部への挿入により、バー材とコンクリート埋設物との間に、互いに係合して挿入部からの屈曲部の抜脱を防止する抜脱防止手段を形成したことを特徴とするコンクリート埋設物装置。
【請求項２】
前記挿入部と屈曲部との間に形成される係合関係により前記抜脱防止手段を形成したことを特徴とする請求項１に記載のコンクリート埋設物装置。
【請求項３】
前記屈曲部と、挿入部内に形成された突部との係合により前記抜脱防止手段を形成したことを特徴とする請求項２に記載のコンクリート埋設物装置。
【請求項４】
前記コンクリート埋設物を開口を有する有底多角箱状をなし、内部に配線器具を取付可能に形成された配線用ボックスとし、前記挿入部は配線用ボックスの隣接するコーナ部に設けられ、その隣接する挿入部に１本のバー材の屈曲部が挿入されるべくバー材に屈曲部を２箇所に形成したことを特徴とする請求項１〜請求項３のいずれか一項に記載のコンクリート埋設物装置。
【請求項５】
前記挿入部を配線用ボックスの底壁側に設けたことを特徴とする請求項４に記載のコンクリート埋設物装置。
【請求項６】
前記バー材を同バー材の軸方向に沿ってコ字状に折り曲げて屈曲部を形成したことを特徴とする請求項１〜請求項５のいずれか一項に記載のコンクリート埋設物装置。
【請求項７】
前記バー材がバー材取付部に取り付けられた状態において、コンクリート埋設物から突出するバー材の両端側の突出長さが略同一となるべくバー材の長さ方向における屈曲部の位置を設定したことを特徴とする請求項１〜請求項６のいずれか一項に記載のコンクリート埋設物装置。
【請求項８】
前記バー材の両端側が同バー材の中央部に対して４５度をなすべく屈曲部より先端側を折り曲げて形成したことを特徴とする請求項１〜請求項７のいずれか一項に記載のコンクリート埋設物装置。
【請求項９】
手により三次元方向に折り曲げ可能なバー材を取付可能とするバー材取付部を備え、同バー材取付部に取り付けられたバー材の両端側をコンクリート構築物の支骨をなす鉄筋に固定することにより当該鉄筋に支持されるとともに、バー材の突っ張り強度によりコンクリート構築物形成用のために立設された型枠に対して押圧されるコンクリート埋設物であって、
前記コンクリート埋設物を開口を有する有底多角箱状をなし、内部に配線器具を取付可能に形成された配線用ボックスとし、
前記バー材取付部は、前記コンクリート埋設物の外面に外方に開口するとともに前記バー材を軸方向に沿って凹凸状に折り曲げて形成された屈曲部が当該開口から挿入される挿入部を備え、前記屈曲部が挿入部に挿入されてバー材がバー材取付部に取り付けられた際、当該挿入部に挿入された屈曲部の外面が挿入部内面と当接することによりバー材の周方向への回転を防止可能に形成するとともに、前記屈曲部の挿入部への挿入により、バー材との間で互いに係合して挿入部からの屈曲部の抜脱を防止する抜脱防止手段を備えていることを特徴とするコンクリート埋設物。
【発明の詳細な説明】
【０００１】
【発明の属する技術分野】
本発明は、建築物内のコンクリート壁の支骨をなす鉄筋に配線用ボックスを支持、固定した状態で同配線用ボックスをコンクリート壁に埋設するために形成されるコンクリート埋設物装置、配線用ボックス及びバー材に関するものである。
【０００２】
【従来の技術】
従来より、建築物内のコンクリート壁面にコンセント等の配線器具を取り付けるために、コンクリート壁にはコンクリート埋設物装置が埋設されている。このコンクリート埋設物装置は、前面に開口を有する有底四角箱状に形成されたコンクリート埋設物としての配線用ボックスと、同配線用ボックスをコンクリート壁の支骨をなす鉄筋に支持させる金属棒製のバー材とより構成されている。
【０００３】
前記バー材は断面円形状をなし、手により三次元方向に自在に曲げ変形可能であるとともに、所要の突っ張り強度を有している。そして、バー材を配線用ボックスに取り付けた後、そのバー材の両端側をそれぞれ鉄筋側へ折り曲げ、同鉄筋に固定することにより、配線用ボックスを鉄筋に対して所望する位置に支持することができる。
【０００４】
また、鉄筋に対する配線用ボックスの支持状態において、コンクリート壁形成用の型枠を配線用ボックスの開口側端面に押し当てるようにして立設すると、バー材の突っ張り強度により配線用ボックスが型枠面に対して押圧される。そのため、配線用ボックスの開口側端面が型枠面に密接して型枠間へのコンクリート打設時における配線用ボックスの開口から内部へのコンクリートの侵入が防止される。さらに、配線用ボックスは前記バー材によって鉄筋に支持されることにより、コンクリート打設時に、そのコンクリートの打設圧による傾きや位置ずれが防止されるようになっている。
【０００５】
配線用ボックスを型枠に密接させ、打設圧による傾きや位置ずれを防止するために、バー材は周方向へ回転せず、かつ容易に外れないように配線用ボックスに取り付けられている。上記のようにバー材を配線用ボックスに取り付けるには種々の方法が提案されている。第１の方法は、配線用ボックスとは別体の板材に対して一対のバー材の中央部を溶接又はかしめ固定して形成された取付体を、当該配線用ボックスの底壁の裏面にビス締め等により固定するものである。第２の方法は、配線用ボックスの周壁を切り起こして形成された一対の突片間にバー材を挿通し、前記突片をかしめて配線用ボックスにバー材を固定するものである。第３の方法は、配線用ボックスの側壁に形成された凹部にバー材を嵌め込み、そのバー材を固定ビスの頭部と側壁とで挟持するように同固定ビスを側壁にねじ込んで固定するものである。
【０００６】
【発明が解決しようとする課題】
ところが、上記第１〜第３のいずれの方法においても、バー材の周方向への回転が防止され、かつ配線用ボックスからの抜脱が防止された状態にバー材を配線用ボックスに取り付けるには複数の作業工程を必要とした。しかも、その作業工程の中には溶接、かしめ又はビス締め作業といった煩雑な工程が含まれていた。その結果、施工現場において多量の配線用ボックスそれぞれに対してバー材を取り付ける作業を行うのは非常に面倒であるという問題があった。
【０００７】
本発明は、このような従来技術に存在する問題点に着目してなされたものである。その目的とするところは、コンクリート埋設物に対してバー材をその周方向への回転及び同コンクリート埋設物からの抜脱を防止した状態に取り付けることができるとともに、その取付作業を容易に行うことができるコンクリート埋設物装置、配線用ボックス及びバー材を提供することにある。
【０００８】
【課題を解決するための手段】
上記問題点を解決するために、請求項１に記載の発明は、手により三次元方向に折り曲げ可能なバー材と、前記バー材を取付可能なバー材取付部を備えたコンクリート埋設物とよりなり、前記バー材をバー材取付部に取り付け、コンクリート埋設物から突出したバー材の両端側をコンクリート構築物の支骨をなす鉄筋に固定することにより、当該鉄筋にコンクリート埋設物を支持させるとともに、バー材の突っ張り強度によりコンクリート構築物形成のために立設された型枠に対してコンクリート埋設物を押圧させるように構成したコンクリート埋設物装置であって、前記バー材は、同バー材を軸方向に沿って凹凸状に折り曲げて形成された屈曲部を備え、前記バー材取付部は、前記コンクリート埋設物の外面に外方に開口して前記屈曲部が当該開口から挿入される挿入部を備えてなり、屈曲部を挿入部に挿入してバー材をバー材取付部に取り付け、当該挿入部に挿入された屈曲部の外面が挿入部内面と当接することによりバー材の周方向への回転を防止可能に形成するとともに、前記屈曲部の挿入部への挿入により、バー材とコンクリート埋設物との間に、互いに係合して挿入部からの屈曲部の抜脱を防止する抜脱防止手段を形成したことを要旨とする。
【００１０】
請求項２に記載の発明は、請求項１に記載のコンクリート埋設物装置において、前記挿入部と屈曲部との間に形成される係合関係により前記抜脱防止手段を形成したことを要旨とする。
【００１１】
請求項３に記載の発明は、請求項２に記載のコンクリート埋設物装置において、前記屈曲部と、挿入部内に形成された突部との係合により前記抜脱防止手段を形成したことを要旨とする。
【００１２】
請求項４に記載の発明は、請求項１〜請求項３のいずれか一項に記載のコンクリート埋設物装置において、前記コンクリート埋設物を開口を有する有底多角箱状をなし、内部に配線器具を取付可能に形成された配線用ボックスとし、前記挿入部は配線用ボックスの隣接するコーナ部に設けられ、その隣接する挿入部に１本のバー材の屈曲部が挿入されるべくバー材に屈曲部を２箇所に形成したことを要旨とする。
【００１３】
請求項５に記載の発明は、請求項４に記載のコンクリート埋設物装置において、前記挿入部を配線用ボックスの底壁側に設けたことを要旨とする。
請求項６に記載の発明は、請求項１〜請求項５のいずれか一項に記載のコンクリート埋設物装置において、前記バー材を同バー材の軸方向に沿ってコ字状に折り曲げて屈曲部を形成したことを要旨とする。
【００１４】
請求項７に記載の発明は、請求項１〜請求項６のいずれか一項に記載のコンクリート埋設物装置において、前記バー材がバー材取付部に取り付けられた状態において、コンクリート埋設物から突出するバー材の両端側の突出長さが略同一となるべくバー材の長さ方向における屈曲部の位置を設定したことを要旨とする。
【００１５】
請求項８に記載の発明は、請求項１〜請求項７のいずれか一項に記載のコンクリート埋設物装置において、前記バー材の両端側が同バー材の中央部に対して４５度をなすべく屈曲部より先端側を折り曲げて形成したことを要旨とする。
【００１６】
請求項９に記載の発明は、手により三次元方向に折り曲げ可能なバー材を取付可能とするバー材取付部を備え、同バー材取付部に取り付けられたバー材の両端側をコンクリート構築物の支骨をなす鉄筋に固定することにより当該鉄筋に支持されるとともに、バー材の突っ張り強度によりコンクリート構築物形成用のために立設された型枠に対して押圧されるコンクリート埋設物であって、前記コンクリート埋設物を開口を有する有底多角箱状をなし、内部に配線器具を取付可能に形成された配線用ボックスとし、前記バー材取付部は、前記コンクリート埋設物の外面に外方に開口するとともに前記バー材を軸方向に沿って凹凸状に折り曲げて形成された屈曲部が当該開口から挿入される挿入部を備え、前記屈曲部が挿入部に挿入されてバー材がバー材取付部に取り付けられた際、当該挿入部に挿入された屈曲部の外面が挿入部内面と当接することによりバー材の周方向への回転を防止可能に形成するとともに、前記屈曲部の挿入部への挿入により、バー材との間で互いに係合して挿入部からの屈曲部の抜脱を防止する抜脱防止手段を備えていることを要旨とする。
【００１９】
【発明の実施の形態】
以下、本発明を具体化したコンクリート埋設物装置、配線用ボックス及びバー材の一実施形態を図１〜図８に従って説明する。
【００２０】
図１に示すように、コンクリート埋設物装置１０は、手により三次元方向に折り曲げ可能な一対のバー材１１と、前記各バー材１１をそれぞれ取付可能なバー材取付部１２を相対向する左右両側に備えたコンクリート埋設物としての配線用ボックス１３とよりなるものである。そして、コンクリート埋設物装置１０は前記各バー材１１がそれぞれバー材取付部１２に取り付けられた状態でバー材１１の周方向への回転が防止され、バー材取付部１２からの抜脱が防止されるように形成されている。
【００２１】
まず、前記配線用ボックス１３について説明すると、図１及び図２に示すように、合成樹脂材料製の配線用ボックス１３は正面正方形状をなす底壁１４とその底壁１４の周縁に立設された側壁１５とより、前面に開口を有する有底四角箱状に形成されたボックス本体１６よりなるものである。上下両側壁１５の内面にはそれぞれ配線器具、配線器具保持枠又はボックスカバー（いずれも図示せず）を取り付けるための取付孔１７が設けられている。また、各側壁１５にはそれぞれ配線、配管を挿通可能とするノック１８が２箇所ずつ形成されている（図１では上側壁１５と左側壁１５のノック１８のみ図示）。
【００２２】
ボックス本体１６の左右両側にはそれぞれ前記バー材取付部１２が形成されている。バー材取付部１２について具体的に説明すると、図２に破線及び図４に示すように、左右各側壁１５の底壁１４側外面にはそれぞれ側壁１５の長さ方向に沿って延びる取付溝１９がボックス本体１６内方へ凹設されている。図２に破線に示すように、各取付溝１９の両端側はそれぞれ取付溝１９の中央部側よりもボックス本体１６内方へ深く凹設され、その深く凹設された部分に挿入部としての挿入溝１９ａが形成されている。各挿入溝１９ａはそれぞれボックス本体１６の各コーナ部を形成する隣接した側壁１５に跨るように形成され、左右各側壁１５の上下両部に形成されている。
【００２３】
図４に示すように、この挿入溝１９ａを含めた取付溝１９の幅方向への長さは前記バー材１１の直径方向への長さと略同一に形成されている。また、図２に破線に示すように、各挿入溝１９ａはそれぞれ奥方から開口側に向かうに従い取付溝１９の延びる方向に沿って幅広となるように形成されている。図１、図３及び図４に示すように、上下各側壁１５の外面において、底壁１４側の左右両部には、それぞれ取付溝１９を横断する支持部２０が形成されている。その支持部２０にはバー材取付部１２に取り付けられたバー材１１が係合可能な係合凹部２０ａが形成されている。
【００２４】
図５に示すように、底壁１４の左右各側壁１５側の上下両部において、前記各挿入溝１９ａに対応する位置には、それぞれ底壁１４の左右各外端縁からボックス本体１６内方へ延びる一対の切り欠き溝２１が形成されている。その切り欠き溝２１の間に固定片２２が形成され、それら各固定片２２は弾性変形可能に形成されている。図３及び図４に示すように、各固定片２２には抜脱防止手段を形成する突部としての固定突条２２ａが取付溝１９の延びる方向に沿って挿入溝１９ａ内へ突設されている。各固定突条２２ａはそれぞれ挿入溝１９ａの内側から外側に向かうに連れて底壁１４側へ傾斜するように形成されている。
【００２５】
次いで、前記バー材１１について説明すると、図１及び図２に示すように、バー材１１は断面円形状をなす金属棒により形成されている。バー材１１の中央部には、同バー材１１を軸方向に沿って凹凸状、即ちコ字状となるように折り曲げることにより形成された屈曲部１１ａが間隔をおいて２箇所に形成されている。各屈曲部１１ａはそれぞれ突出する方向に向かうに連れて幅狭となるように折り曲げられている。また、バー材１１において、各屈曲部１１ａより先端側はそれぞれバー材１１の中央部の延びる方向に対して４５度（又は１３５度）をなす状態で屈曲部１１ａの突出する方向とは反対方向へ延びるように折り曲げられている。
【００２６】
図２に破線に示すように、一対の屈曲部１１ａはそれぞれ各側壁１５の各挿入溝１９ａに挿入可能に形成されている。左右各側壁１５において、バー材１１の両屈曲部１１ａがそれぞれ隣接する挿入溝１９ａに挿入されることにより、各バー材１１をバー材取付部１２に取付可能に形成されている。また、バー材取付部１２にバー材１１が取り付けられることによりボックス本体１６からバー材１１の両端部が突出する。そして、図８に示すように、このバー材１１の両端部がそれぞれコンクリート構築物としてのコンクリート壁の支骨をなす鉄筋２４にバインド線２５等により結束、固定されることにより、バー材１１が鉄筋２４に支持されるようになっている。
【００２７】
鉄筋２４に対するバー材１１の架設により、鉄筋２４に対して配線用ボックス１３を支持させることができるとともに、配線用ボックス１３とバー材１１とよりなるコンクリート埋設物装置１０が鉄筋２４に設置される。
【００２８】
次に、上記構成のコンクリート埋設物装置１０の使用方法を作用とともに説明する。
まず、図２に示すように、一対のバー材１１の一対の屈曲部１１ａをそれぞれ左右各側壁１５の一対の挿入溝１９ａ内に挿入する。このとき、各屈曲部１１ａはそれぞれ突出する方向に向かうに連れて幅狭に形成され、挿入溝１９ａは奥方から開口側へ向かうに連れて幅広に形成されているため、挿入溝１９ａ内への挿入作業が円滑に行われる。さらに、屈曲部１１ａを挿入溝１９ａ内奥方へ挿入すると、屈曲部１１ａが固定突条２２ａに当接するが、固定片２２が外方へ弾性変形するため屈曲部１１ａは固定突条２２ａを乗り越える。
【００２９】
そして、屈曲部１１ａが固定突条２２ａを乗り越えると、固定片２２は自身の弾性変形により元の状態に復帰する。固定片２２が復帰すると、図６に示すように、固定突条２２ａが屈曲部１１ａの凹状をなす部分に沿って係合する。即ち、図７に破線に示すように、挿入溝１９ａ内において、屈曲部１１ａよりも挿入溝１９ａの開口側に固定突条２２ａが位置する。
【００３０】
それと同時に、図５に破線に示すように、バー材１１の中央部は取付溝１９内に挿入され、図７に示すように、屈曲部１１ａより先端側は係合凹部２０ａに係合して、バー材１１のボックス本体１６内方へのそれ以上の入り込みが規制される。そして、バー材１１がバー材取付部１２に取り付けられて、バー材１１が配線用ボックス１３に取り付けられる。このとき、図１に示すように、各バー材１１の各屈曲部１１ａより先端側はそれぞれ上下各側壁１５からボックス本体１６の外方へ突出し、その両突出長さが略同一となる。
【００３１】
図６に示すように、前記屈曲部１１ａと固定突条２２ａとの係合状態において、バー材１１と配線用ボックス１３、即ちバー材１１とバー材取付部１２との間には、一対の屈曲部１１ａの対応する挿入溝１９ａからの抜脱を防止してバー材１１のバー材取付部１２から抜脱を防止する抜脱防止手段が形成される。また、挿入溝１９ａを形成する相対向する内面が、屈曲部１１ａのコ字状をなす相対向する両外面に当接、即ち圧接して屈曲部１１ａは挿入溝１９ａ内に挟持され、屈曲部１１ａの挿入溝１９ａ内での回転が防止可能となる。
【００３２】
続いて、バー材１１の両端部をそれぞれ上下各側壁１５から突出する位置から鉄筋２４方向へ折り曲げ、図１に示すように、バー材１１の両端部を鉄筋２４に沿ってバインド線２５で結束する。このとき、バー材１１の両突出部はそれぞれ同バー材１１の中央部の延びる方向に対して４５度（又は１３５度）となるように外方へ折り曲げられているため、バー材１１の各端部を鉄筋２４に取り付ける作業が容易に行われる。
【００３３】
続いて、図８に示すように、配線用ボックス１３を挟むように一対の型枠２３を立設し、一方の型枠２３を配線用ボックス１３の開口側端面に当接させ、さらに、その型枠２３により配線用ボックス１３を鉄筋２４方向へ押圧する。すると、バー材１１は鉄筋２４までの間隔が短くなる方向に力が加わって撓み変形し、配線用ボックス１３は鉄筋２４方向へ後退するとともに、バー材１１の弾性力により配線用ボックス１３は型枠２３方向へ押圧される。その結果、型枠２３に対して配線用ボックス１３の開口側端面が密接される。このとき、屈曲部１１ａは挿入溝１９ａ内面に当接しているとともに、挿入溝１９ａ内に挟持されているため、前記押圧によりバー材１１が周方向へ回転するのが防止され、配線用ボックス１３の型枠２３への密接状態が維持される。
【００３４】
続いて、一対の型枠２３間にコンクリートを打設すると、その打設圧がバー材１１や配線用ボックス１３に作用する。このときも、挿入溝１９ａ内面と屈曲部１１ａとの当接によりバー材１１の周方向への回転が防止される。加えて、各屈曲部１１ａの径方向に延びる外面が挿入溝１９ａの幅方向に沿った内面及び支持部２０に当接するため、バー材１１の軸方向への移動が規制される。
【００３５】
また、屈曲部１１ａと固定突条２２ａとの係合によりバー材１１がバー材取付部１２から外れることなく配線用ボックス１３の位置ずれや傾きが防止され、配線用ボックス１３の開口側端面の型枠２３に対する密接状態が維持される。そのため、コンクリートが配線用ボックス１３の開口から内部に侵入する不具合が防止される。さらに、両バー材取付部１２に取り付けられたバー材１１により底壁１４の左右両側縁及び左右各側壁１５が補強される。そして、コンクリート硬化後、型枠２３を除去することによりコンクリート壁が構築されるとともに、そのコンクリート壁内に配線用ボックス１３が埋設され、その配線用ボックス１３に配線器具が取り付けられる。
【００３６】
上記実施形態によれば、以下のような特徴を得ることができる。
（１）  挿入溝１９ａ内に屈曲部１１ａを挿入することにより、屈曲部１１ａが固定突条２２ａに係合してバー材１１をバー材取付部１２からの抜脱を防止した状態に取り付けることができる。それと同時に、挿入溝１９ａの相対向する内面と屈曲部１１ａとの当接によりバー材１１の周方向への回転を防止した状態でバー材１１をバー材取付部１２に取付けることができる。その結果、溶接、かしめ又はビス締め作業といった煩雑な工程を行っていた従来と異なり、配線用ボックス１３に対してバー材１１を取り付ける作業を容易に行うことができる。従って、施工現場において、多量の配線用ボックス１３に対するバー材１１の取付作業を速やかに行うことができる。
【００３７】
（２）  屈曲部１１ａの挿入溝１９ａへの挿入によりバー材取付部１２におけるバー材１１の周方向への回転と抜脱を防止することができる。従って、バー材１１が取り付けられた配線用ボックス１３がコンクリートの打設により傾いたり、位置ずれするのを防止して、配線用ボックス１３をコンクリート壁の所望する位置に埋設することができるとともに、その配線用ボックス１３に取り付けられる配線器具をコンクリート壁の所望する位置に取り付けることができる。
【００３８】
（３）  屈曲部１１ａと固定突条２２ａとの係合によりバー材１１がバー材取付部１２から抜脱する不具合が防止されるため、配線用ボックス１３の位置ずれや傾きが防止され、配線用ボックス１３の開口側端面の型枠２３に対する密接状態が維持される。そのため、コンクリートが配線用ボックス１３の開口から内部に侵入する不具合を防止することができる。
【００３９】
（４）  配線用ボックス１３に対してコンクリート打設圧が作用しても、各屈曲部１１ａは挿入溝１９ａの内面及び支持部２０に当接するため、バー材１１の軸方向への移動を防止することができる。従って、配線用ボックス１３の傾きや位置ずれを防止して、配線用ボックス１３をコンクリート壁の所望する位置に埋設することができる。
【００４０】
（５）  屈曲部１１ａは突出する方向に向かうに連れて幅狭に形成され、挿入溝１９ａは奥方から開口側へ向かうに連れて幅広に形成されているため、挿入溝１９ａ内に屈曲部１１ａを挿入する作業を円滑に行うことができる。
【００４１】
（６）  バー材１１の中央部は取付溝１９内面に当接し、屈曲部１１ａより先端側は係合凹部２０ａ内面に当接するため、バー材１１のボックス本体１６内方への入り込みを制限してバー材１１を位置決めすることができる。従って、バー材１１を鉄筋２４に取り付けるとき、バー材１１がボックス本体１６内方へ入り込んで移動するといった不具合をなくして、その取付作業を速やかに行うことができる。
【００４２】
（７）  挿入溝１９ａ内の屈曲部１１ａに対して固定突条２２ａが係合するため屈曲部１１ａの挿入溝１９ａから抜脱を効果的に防止することができる。
（８）  バー材１１を折り曲げて形成された屈曲部１１ａと、その屈曲部１１ａの折り曲げ部分に係合可能な固定突条２２ａとにより抜脱防止手段を形成した。そのため、バー材１１又は配線用ボックス１３とは別部材によりバー材１１のバー材取付部１２からの抜脱を防止する手段を形成する場合と比較して抜脱防止手段を容易に形成することができる。
【００４３】
（９）  １本のバー材１１は一対の屈曲部１１ａがそれぞれ挿入溝１９ａに挿入されてバー材取付部１２に取り付けられている。そのため、１本のバー材１１が１つの屈曲部１１ａの挿入溝１９ａへの挿入によりバー材取付部１２に取り付けられている場合と比較して強固に取り付けることができる。
【００４４】
（１０）  バー材取付部１２を形成する取付溝１９、挿入溝１９ａ及び固定突条２２ａはそれぞれ左右各側壁１５の上下方向に沿った底壁１４側に形成されている。そのため、バー材取付部１２にバー材１１が取り付けられることにより、底壁１４及び左右各側壁１５を補強することができる。従って、コンクリート打設圧によって底壁１４及び左右各側壁１５が変形するのを防止することができる。
【００４５】
（１１）  各屈曲部１１ａは金属棒をコ字状に折り曲げることにより形成されているため、屈曲部１１ａは挿入溝１９ａ内面に広範囲にわたって当接する。そのため、屈曲部１１ａに作用する力により屈曲部１１ａを変形しにくくすることができるとともに、バー材１１の周方向への回転を確実に防止することができる。
【００４６】
（１２）  バー材１１がバー材取付部１２に取り付けられたとき、バー材１１の両端側の配線用ボックス１３からの突出長さは略同一となり、バー材１１をバー材取付部１２に取付けるだけでバー材１１の中央部に配線用ボックス１３を位置させることができる。そのため、バー材１１の長さ方向における中央部に配線用ボックス１３を位置させる作業を省略することができ、バー材１１を配線用ボックス１３に取り付ける作業を容易に行うことができる。
【００４７】
（１３）  バー材１１をバー材取付部１２に取り付けたとき、一対のバー材１１の各先端側はそれぞれ配線用ボックス１３の外方へ斜め４５度に延びるため、バー材１１の端部を鉄筋２４に取り付ける作業を容易に行うことができる。
【００４８】
なお、上記実施形態は以下のように変更してもよい。
・  実施形態では、屈曲部１１ａより先端側をバー材１１の中央部の延びる方向に対して４５度（又は１３５度）となるように形成したが、その角度を任意に設定してもよく、屈曲部１１ａより先端側を折り曲げなくてもよい。
【００４９】
・  実施形態では、バー材取付部１２にバー材１１を取り付けたとき、上下各側壁１５からのバー材１１の突出長さが略同一となるように屈曲部１１ａの位置を設定したが、前記突出長さが略同一とならない位置に屈曲部１１ａを形成してもよい。
【００５０】
・  実施形態では、バー材１１をコ字状に折り曲げて屈曲部１１ａを形成したが、バー材１１を円弧状、山形状、Ω字状等に折り曲げて屈曲部１１ａを形成してもよい。
【００５１】
・  実施形態では、バー材取付部１２を左右各側壁１５の底壁１４側に形成したが、バー材取付部１２を相対向する上下又は左右各側壁１５におけるボックス本体１６の開口側端部に形成してもよい。このように構成した場合、上下又は左右各側壁１５におけるボックス本体１６の開口側をバー材１１により補強することができる。従って、ボックス本体１６の開口側の強度を向上させることができ、コンクリートの打設圧等による変形を防止することができる。
【００５２】
・  上下各側壁１５の底壁１４側にバー材取付部１２を形成してもよい。上下又は左右各側壁１５における底壁１４とボックス本体１６の開口側端部との間に、上下又は左右各側壁１５の長さ方向に延びるバー材取付部１２を形成してもよい。
【００５３】
・  実施形態では、バー材１１に２箇所に屈曲部１１ａを形成し、配線用ボックス１３のバー材取付部１２にはそれぞれ２箇所に挿入溝１９ａ及び固定突条２２ａを形成したが、バー材１１に１箇所又は３箇所以上屈曲部１１ａを形成し、バー材取付部１２にはそれぞれ屈曲部１１ａに対応するように１箇所又は３箇所以上挿入溝１９ａ及び固定突条２２ａを形成してもよい。
【００５４】
・  実施形態では、挿入溝１９ａがボックス本体１６のコーナ部に位置するように形成したが、挿入溝１９ａをボックス本体１６のコーナ部以外の位置に形成してもよい。
【００５５】
・  実施形態では、屈曲部１１ａに対する固定突条２２ａの係合により抜脱防止手段を形成したが、屈曲部１１ａに前記固定突条２２ａが係合可能な係合溝を凹設し、屈曲部１１ａを挿入溝１９ａ内に挿入したとき、固定突条２２ａが係合溝に係合することにより抜脱防止手段を形成してもよい。
【００５６】
・  また、屈曲部１１ａの外面に固定突条２２ａを突設し、挿入溝１９ａの内面に固定突条２２ａが係合可能な係合溝を凹設する。そして、屈曲部１１ａを挿入溝１９ａ内に挿入したとき、固定突条２２ａが係合溝に係合することにより抜脱防止手段を形成してもよい。
【００５７】
・  加えて、屈曲部１１ａの外面に例えば円錐状に突出する突刺体を形成し、屈曲部１１ａを挿入溝１９ａ内に挿入したとき、係合突起が挿入溝１９ａ内面に食い込むことにより抜脱防止手段を形成してもよい。
【００５８】
・  実施形態では、コンクリート構築物としてコンクリート壁にコンクリート埋設物装置１０を埋設したが、コンクリート構築物としてコンクリート柱、コンクリート床等にコンクリート埋設物装置１０を埋設してもよい。
【００５９】
・  実施形態では、配線用ボックス１３とバー材１１とによりコンクリート埋設物装置１０を形成したが、コンクリート埋設物としてのボックスカバーに少なくとも挿入溝１９ａ及び固定突条２２ａを形成してバー材取付部１２を形成し、そのバー材取付部１２にバー材１１を回転不能に、かつ強固に取り付けてコンクリート埋設物装置１０を形成してもよい。このように構成した場合、配線用ボックス１３に対してボックスカバー２６を取り付け、そのボックスカバー２６に回転不能に、かつ強固に取り付けられたバー材１１を鉄筋２４に取付ける。その結果、ボックスカバー２６を介して配線用ボックス１３を鉄筋２４に支持させることができ、バー材１１の回転を防止して配線用ボックス１３の移動を防止することができる。
【００６０】
・  実施形態では、配線用ボックス１３とバー材１１とによりコンクリート埋設物装置１０を形成したが、コンクリート埋設物を、コンクリート壁等のコンクリート構築物の外面にボルト螺挿用の孔を形成する孔形成部材（インサート）又はコンクリート壁等のコンクリート構築物内に配設された保護管の開口端部を保護し、前記コンクリート構築物の外面に保護管内と連通する開口を形成する開口形成部材（エンドカバー）に具体化してもよい。
【００６１】
【発明の効果】
以上詳述したように、請求項１に記載の発明によれば、コンクリート埋設物に対してバー材をその周方向への回転及び同コンクリート埋設物からの抜脱を防止した状態に取り付けることができるとともに、その取付作業を容易に行うことができる。
【００６２】
また、バー材の周方向への回転を効果的に防止することができる。
請求項２に記載の発明によれば、請求項１に記載の発明の効果に加え、屈曲部の挿入部からの抜脱を効果的に防止することができる。
【００６３】
請求項３に記載の発明によれば、請求項２に記載の発明の効果に加え、抜脱防止手段を容易に形成することができる。
請求項４に記載の発明によれば、請求項１〜請求項３のいずれか一項に記載の発明の効果に加え、バー材に１箇所だけ形成された屈曲部を挿入部に挿入してバー材をバー材取付部に取り付ける場合と比較して強固に取り付けることができる。
【００６４】
請求項５に記載の発明によれば、請求項４に記載の発明の効果に加え、バー材により底壁及びバー材取付部が形成された側壁を補強することができる。従って、コンクリート打設圧によって底壁及び側壁が変形するのを防止することができる。
【００６５】
請求項６に記載の発明によれば、請求項１〜請求項５のいずれか一項に記載の発明の効果に加え、屈曲部の軸方向に沿った外面は挿入部の内面に対して広範囲に亘って当接するため、バー材を周方向へ回転させる力が作用したとき、屈曲部が変形することなくバー材の周方向への回転を確実に防止することができる。
【００６６】
請求項７に記載の発明によれば、請求項１〜請求項６のいずれか一項に記載の発明の効果に加え、バー材がバー材取付部に取り付けられたとき、バー材の両端側のコンクリート埋設物からの突出長さは略同一となり、バー材の中央部にコンクリート埋設物を位置させることができる。そのため、バー材の各突出長さを調整してバー材の長さ方向における中央部にコンクリート埋設物を位置させる作業を省略することができ、バー材のコンクリート埋設物への取付作業を容易に行うことができる。
【００６７】
請求項８に記載の発明によれば、請求項１〜請求項７のいずれか一項に記載の発明の効果に加え、バー材を鉄筋に取り付ける作業を容易に行うことができる。
請求項９に記載の発明によれば、バー材をその周方向への回転及び抜脱を防止した状態に取り付けることができるとともに、その取付作業を容易に行うことができる。
【図面の簡単な説明】
【図１】実施形態のコンクリート埋設物装置を示す分解斜視図。
【図２】実施形態のコンクリート埋設物装置を示す正面図。
【図３】実施形態の配線用ボックスを示す平面図。
【図４】実施形態の配線用ボックスを示す側面図。
【図５】実施形態の配線用ボックスにバー材を取り付けた状態の背面図。
【図６】実施形態の配線用ボックスにバー材を取り付けた状態の側面図。
【図７】実施形態の配線用ボックスにバー材を取り付けた状態の平面図。
【図８】型枠間に配設されたコンクリート埋設物装置を示す側断面図。
【符号の説明】
１０…コンクリート埋設物装置、１１…バー材、１１ａ…屈曲部、１２…バー材取付部、１３…コンクリート埋設物としての配線用ボックス、１４…底壁、１９ａ…挿入部としての挿入溝、２２ａ…抜脱防止手段を形成する突部としての固定突条、２３…型枠、２４…鉄筋。
【図１】
0003824892.tif 000002
【図２】
0003824892.tif 000003
【図３】
0003824892.tif 000004
【図４】
0003824892.tif 000005
【図５】
0003824892.tif 000006
【図６】
0003824892.tif 000007
【図７】
0003824892.tif 000008
【図８】
0003824892.tif 000009